(57)【要約】【課題】長期的な摺動面の状態の変化を最小限に抑え、すべり支承本来の性能を維持する。【解決手段】摺動面５ａを有するすべり板５と、すべり板の摺動面に対して摺動自在に配される摺動部材２（すべり材４ｆ）とを備えたすべり支承１であって、摺動部材との当接部を除く摺動面上に貼着、密着又は載置されたフィルム又はシート６を備えるすべり支承。摺動面とフィルム等との間に離形性又は潤滑性を有する物質を介在させてもよい。フィルム又はシートは防水性が高く、通気性の低い性質を有する材料、ポリエチレンテレフタレート、ポリウレタン、ポリアセタール、ポリメチルメタクリレート、ポリカーボネート、ポリスチレン、ポリクロロトリフロロエチレン、ナイロン６、ナイロン６６、ナイロン１１、ナイロン１２、ポリフェニレンサルファイド、芳香族ポリアミド、脂肪族ポリアミド、ポリアクリロニトリル、ゴム等で形成することができる。【選択図】図２
2018048691.tif 000002
【特許請求の範囲】
【請求項１】
摺動面を有するすべり板と、該すべり板の摺動面に対して摺動自在に配される摺動部材とを備えたすべり支承であって、
前記摺動部材との当接部を除く前記摺動面上に貼着、密着又は載置されたフィルム又はシートを備えることを特徴とするすべり支承。
【請求項２】
前記摺動面と前記フィルム又はシートとの間に離形性又は潤滑性を有する物質が介在することを特徴とする請求項１に記載のすべり支承。
【請求項３】
前記フィルム又はシートは、高防水性又は低通気性、あるいは高防水性及び低通気性を有する材料からなることを特徴とする請求項１又は２に記載のすべり支承。
【発明の詳細な説明】
【技術分野】
【０００１】
本発明は、すべり支承に関し、特に、構造物等の対象物とそれを支持する基礎面の一方に装着されて摺動面を有するすべり板と、他方に装着されてすべり板の摺動面に対して摺動自在に配される摺動部材とを備え、地震等の際に摺動部材がすべり板の摺動面を摺動することで免震機能を発揮するすべり支承に関する。
【背景技術】
【０００２】
上記すべり支承の一例として、図３に示すように、上部構造物に装着されてフランジプレート２３と積層ゴム体２４からなる摺動部材２２と、下部構造物に装着されて上面に摺動面２５ａを有するすべり板２５と、摺動部材２２の当接部を除く摺動面２５ａを保護するステンレス板からなる保護板２８（２８Ａ、２８Ｂ）とを組み合わせてなるすべり支承２１が存在する。
【０００３】
上記構成を有するすべり支承２１は、大きな地震等が発生すると、摺動部材２２の積層ゴム体２４のゴム層が弾性変形した後、積層ゴム体２４の底面に存在するすべり材（不図示）がすべり板２５の摺動面２５ａ上を摺動する。また、保護板２８も積層ゴム体２４に追従して移動する。これにより、すべり材と摺動面２５ａとの間で摩擦力を生じ、上部構造物と下部構造物との間に生じる水平力を減衰させる。
【０００４】
また、特許文献１には、すべり板の摺動面上に蝋等のワックスを塗布したすべり支承が開示されている。このワックスは離形性を有し、積層ゴム体の衝突によって剥がれ落ちる。
【先行技術文献】
【特許文献】
【０００５】
【特許文献１】特開２０１６−１２１７４７号公報
【発明の概要】
【発明が解決しようとする課題】
【０００６】
上記図３に記載のすべり支承及び特許文献１に記載のすべり支承においては、工事期間中や供用中にすべり板の摺動面に傷が付いたり、摺動面上に異物が堆積することを防止するなど、すべり板の摺動面を物理的に保護することはできるが、長期的には摺動面が化学的に変化する可能性や摺動表面への水分の付着や酸素等のアタックにより表面状態が変化し、すべり支承本来の性能を維持することができない虞があった。
【０００７】
そこで、本発明は上記すべり支承における問題点に鑑みてなされたものであって、長期的な摺動面の状態の変化を最小限に抑え、すべり支承本来の性能を維持することを目的とする。
【課題を解決するための手段】
【０００８】
上記目的を達成するため、本発明は、摺動面を有するすべり板と、該すべり板の摺動面に対して摺動自在に配される摺動部材とを備えたすべり支承であって、前記摺動部材との当接部を除く前記摺動面上に貼着、密着又は載置されたフィルム又はシートを備えることを特徴とする。ここで、フィルムとは厚さが１０μｍ〜０．２ｍｍ未満程度のもの、シートとは厚さが０．２ｍｍ〜６ｍｍ程度のものをいう。
【０００９】
本発明によれば、フィルム又はシートによって摺動部材との当接部を除くすべり板の摺動面が水や酸素、水蒸気等と接触することを防止し、長期的な摺動面の状態の変化を最小限に抑えることができる。また、地震等によりすべり板と摺動部材との間に相対変位が生じた場合には、摺動部材の移動によってフィルム又はシートは容易に剥がれる又は容易に積層ゴム体に追従するため、摺動部材の移動が妨げられることがなく、すべり支承本来の性能を維持することができる。
【００１０】
上記すべり支承において、前記摺動面と前記フィルム又はシートとの間に離形性又は潤滑性を有する物質を介在させることができる。これにより、フィルム又はシートが摺動部材の摺動に与える影響をより小さく抑えることができる。
【００１１】
また、前記フィルム又はシートを高防水性又は低通気性、あるいは高防水性及び低通気性を有する材料で形成することができ、フィルム又はシートは単一であってもよく、複数枚組み合わせたもの（分割したもの）や、多層加工されたものでもよい。
【発明の効果】
【００１２】
以上のように、本発明によれば、長期的な摺動面の状態の変化を最小限に抑えることができると共に、摺動部材の移動が妨げられることがないため、すべり支承本来の性能を維持することができる。
【図面の簡単な説明】
【００１３】
【図１】本発明に係るすべり支承の一実施の形態を示す一部破断斜視図である。
【図２】図１のすべり支承の一部断面図である。
【図３】従来のすべり支承の一例を示す分解斜視図である。
【発明を実施するための形態】
【００１４】
次に、本発明を実施するための形態について図面を参照しながら詳細に説明する。
【００１５】
図１及び図２は、本発明に係るすべり支承の一実施の形態を示し、このすべり支承１は、上部構造物に装着されるフランジプレート３と、フランジプレート３の下面に装着される積層ゴム体４と、下部構造物に装着され、上面にステンレス鋼材をフッ素樹脂５ｂでコーテンィグした摺動面５ａを有するすべり板５と、積層ゴム体４の底面に装着された後述するすべり材４ｆとの当接部を除く摺動面５ａを覆うように摺動面５ａに貼着、密着又は載置されるフィルム又はシート６とで構成される。
【００１６】
積層ゴム体４は、ゴム層と補強板とが交互に積層された積層ゴム部４ａと、積層ゴム部４ａの上下に配置される厚肉鋼板４ｂ、４ｃと、積層ゴム部４ａ及び厚肉鋼板４ｂ、４ｃを覆うゴム４ｅと、厚肉鋼板４ｃの下面に固定されたすべり材４ｆとで構成され、一般的に用いられているものである。また、積層ゴム体４の鉛直方向に設けられた孔に減衰材料が挿入されていてもよい。減衰材料は、例えば鉛・錫・超塑性材料又は鉄・ゴム等の複数で構成される粉体の混合物等がある。さらに積層ゴム体４は、ゴム自体に減衰性能があるものでもよい。以下の説明では、フランジプレート３及び積層ゴム体４の全体を摺動部材２という。
【００１７】
フィルム又はシート６は、防水性が高く、通気性の低い性質を有する材料、例えば、ポリエチレンテレフタレート、ポリウレタン、ポリアセタール、ポリメチルメタクリレート、ポリカーボネート、ポリスチレン、ポリクロロトリフロロエチレン、ナイロン６、ナイロン６６、ナイロン１１、ナイロン１２、ポリ塩化ビニル、ポリフッ化ビニル、ポリフッ化ビニリデン、ポリ塩化ビニリデン、ポリイミド、ポリエチレン、ポリプロピレン、ＡＢＳ樹脂、エチレン／ビニルアルコール共重合体、ポリフェニレンサルファイド、芳香族ポリアミド、脂肪族ポリアミド、ポリアクリロニトリル、ゴム等の高分子材料を含むものでもよい。また、すべり板５の摺動面５ａとフィルム又はシート６との間に離形性又は潤滑性を有する他のフィルム又はシートや油等を介在させてもよい。フィルム又はシート６は、上記性質に加え、遮光性が高い、耐熱性が高い、耐薬品性が高い、耐衝撃性が高い、除湿性が高いものが好ましい。
【００１８】
また、フィルム又はシート６は、摺動部材２が摺動面５ａ上の初期位置にある状態（図示する状態）で、すべり材４ｆとの当接部を除く摺動面５ａの全体又は一部（分割も含む）に貼着、密着又は載置される。フィルム又はシート６と摺動面５ａの間から水分や空気等を排除するため、フィルム又はシート６と摺動面５ａの間に油を介在させ、両者を密着させることもできる。
【００１９】
以上のように、本発明によれば、大きな地震等が発生する前には、フィルム又はシート６によってすべり材４ｆとの当接部を除く摺動面５ａが水（結露水、漏水、雨水、海水、泥水等）、酸素、水蒸気等と接触することを防止することができるため、摺動面５ａの長期的な状態の変化を最小限に抑え、摺動部材２の摺動面５ａに対する摺動性能を維持することが可能になる。
【００２０】
また、大きな地震等が発生した場合には、積層ゴム体４のゴム層が弾性変形した後、すべり材４ｆがすべり板５の摺動面５ａを摺動する。この際、すべり材４ｆはフィルム又はシート６を容易に剥がしながら又は容易に積層ゴム体４に追従させながらすべり板５の摺動面５ａを移動するため、フィルム又はシート６によって積層ゴム体４の移動が妨げられることがない。
【００２１】
尚、特許文献１に記載のワックスを保護材に用いたすべり支承は、硬化したワックスを掻き分ける力が必要となり、低い摩擦係数を要求されるすべり支承においてはこの掻き分け力が設計で想定した水平力に影響を及ぼすが、本発明によれば、フィルム又はシート６を容易に剥がしながら又は容易に積層ゴム体４に追従させながらすべり材４ｆがすべり板５の摺動面５ａを移動するため、設計で想定した水平力に影響を及ぼすことがない。また、フィルム又はシート６と摺動面５ａの間に、離形性又は潤滑性を有する他のフィルム又はシート６や油等を介在させることにより、小さな水平力でフィルム又はシート６を剥がす又は積層ゴム体４に追従させることができる。
【００２２】
また、上記積層ゴム体４の移動時に、すべり材４ｆと摺動面５ａの当接部にフィルム又はシート６が巻き込まれることを防止する目的で、積層ゴム体の外周部にフィルム又はシート６の巻き込み防止部材を設けたり、積層ゴム体の周辺部のフィルム又はシート６の端部を立ち上げた構造としてもよい。
【００２３】
さらに、上記実施の形態では、上面にステンレス鋼材をフッ素樹脂５ｂでコーテンィグした摺動面５ａを有するすべり板５を例示したが、フィルム又はシート６によってすべり材４ｆの摺動が妨げられることがなく、すべり支承本来の機能が維持されるのであれば、摺動面５ａがフッ素樹脂５ｂでコーテンィグした面でなくとも構わない。
【００２４】
また、摺動部材２を上部構造物に、すべり板５を下部構造物に各々固定した場合について説明したが、すべり支承を橋梁に適用する場合等、下部構造物側に十分なスペースを確保することが困難な構造物に適用する場合には、上部構造物にすべり板５を固定し、下部構造物に摺動部材２を固定してもよい。この際、すべり板５の摺動面５ａは下方を向くことになるので、摺動面５ａからフィルム又はシート６が離間し難い構成とする。
【００２５】
さらに、摺動部材２に積層ゴム体４を備えたすべり支承１について説明したが、積層ゴム体を有さないすべり支承においても本発明を適用することができ、その場合、摺動面が平面、曲面又は球面であっても本発明を適用することができる。
【００２６】
また、本発明は、上記構造物用のすべり支承に限定されず、構造物用以外のすべり支承、例えば、配管設備、物流設備・機器、機械設備・装置、電気設備・機器、電算設備・機器、什器、家具、展示物等に適用することができる。
【符号の説明】
【００２７】
１  すべり支承
２  摺動部材
３  フランジプレート
４  積層ゴム体
４ａ  積層ゴム部
４ｂ、４ｃ  厚肉鋼板
４ｅ  ゴム
４ｆ  すべり材
５  すべり板
５ａ  摺動面
５ｂ  フッ素樹脂
６  フィルム又はシート
【図１】
2018048691.tif 000003
【図２】
2018048691.tif 000004
【図３】
2018048691.tif 000005